(57)【要約】【課題】捕獲した夾雑物を水面より上に揚げることなく分離し、水流に乗せて搬送し、スクリーンとしての機能を回復させる除塵スクリーンを提供する。【解決手段】夾雑物を含む流れに面して、スクリーンに振動を与えるための振動発生装置を装備したスクリーンを配置する。スクリーンに夾雑物が溜まって通水能力が低下した場合、スクリーンの一端が下流に向けて水中で開放されるようにスクリーンを倒伏もしくは回転させ、その状態のままスクリーンを振動させることにより夾雑物をスクリーンから分離する。分離した夾雑物は、水の流れに乗せて流下させ、再びスクリーンを元の位置に戻すことによりスクリーンの除塵機能を回復させる。また、水の流下方向を逆転させる場合には、逆流中にスクリーンを振動させることにより夾雑物をスクリーンから分離し、水の流れに乗せて別の水路に夾雑物を流下させ、水の流下方向を元に戻すことにより除塵機能を回復させる。【選択図】図１
2008255619.tif 000002
【特許請求の範囲】
【請求項１】
水路内にスクリーンを備え、それに付随してスクリーンの面に対して平行な方向に振動を与えるための振動発生装置を装備したことを特徴とする振動型除塵スクリーン。
【請求項２】
水路内にスクリーンを備え、それに付随して水路内を流れる水流に対して直角方向に振動を与えるための振動発生装置を装備したことを特徴とする振動型除塵スクリーン。
【請求項３】
請求項１及び２に記載の振動型除塵スクリーンに夾雑物が溜まると、スクリーンの一端が下流に向けて水中で開放されるようにスクリーンを倒伏もしくは回転させ、その状態でスクリーンを振動させることにより夾雑物をスクリーンから分離し、水の流れに乗せて流下させ、再びスクリーンを元の位置に戻すことにより除塵機能を回復させることを特徴とする振動型除塵スクリーンを用いた流水中の除塵方法。
【請求項４】
請求項１及び２に記載の振動型除塵スクリーンに夾雑物が溜まると、水の流下方向を逆転させ、その状態でスクリーンを振動させることにより夾雑物をスクリーンから分離し、水の流れに乗せて別な水路に夾雑物を流下させ、水の流下方向を元に戻すことにより除塵機能を回復させることを特徴とする振動型除塵スクリーンを用いた流水中の除塵方法。
【発明の詳細な説明】
【技術分野】
【０００１】
本発明は、除塵用のスクリーンに係り、特に、夾雑物を水面より上に揚げることなく水中でスクリーンから分離し、分離した夾雑物を水流に乗せて搬送し、スクリーンとしての機能を速やかに回復させることができるようにしたものである。
【背景技術】
【０００２】
従来の除塵装置は、例えば特開平８−１１３９３０号公報（特許文献１参照）で示されているように、スクリーンで捕獲した夾雑物をレーキで掻揚げて、ベルトコンベア等により別の場所に移動、集積し、産業廃棄物として処理していた。
【特許文献１】特開平８−１１３９３０号公報
【発明の開示】
【発明が解決しようとする課題】
【０００３】
従来のレーキ掻揚げ式の場合、以下の点が課題となる。
【０００４】
夾雑物は、水面より上に揚げた時点から産業廃棄物として取り扱われるのが一般的であり、再び水中に戻すことができなくなる。
【０００５】
そのため夾雑物の掻揚げ装置の他に、ベルトコンベア等の掻揚げた夾雑物を移動、集積、管理するための周辺設備が必要となる。
【０００６】
夾雑物は濡れたまま空中を移動して集積場所でしばらく仮置きされるため、景観が損なわれたり、悪臭が発生しやすい。
【０００７】
集積された夾雑物に対しては、管理や産業廃棄物としての処理が必要となり、人的、経済的負担が大きい。
【課題を解決するための手段】
【０００８】
そこで、本発明の振動型除塵スクリーンは、水路内にスクリーンを備え、それに付随してスクリーンの面に対して平行な方向に振動を与えるための振動発生装置を装備したことを特徴としている。（請求項１）
【０００９】
また、水路内にスクリーンを備え、それに付随して水路内を流れる水流に対して直角方向に振動を与えるための振動発生装置を装備したことを特徴としている。（請求項２）
【００１０】
本発明に係る振動型除塵スクリーンを用いた流水中の除塵方法は、上記振動型除塵スクリーンに夾雑物が溜まると、スクリーンの一端が下流に向けて水中で開放されるようにスクリーンを倒伏もしくは回転させ、その状態でスクリーンを振動させることにより夾雑物をスクリーンから分離し、水の流れに乗せて流下させ、再びスクリーンを元の位置に戻すことにより除塵機能を回復させることを特徴としている。（請求項３）
【００１１】
また、本発明に係る振動型除塵スクリーンを用いた流水中の除塵方法は、上記振動型除塵スクリーンに夾雑物が溜まると、水の流下方向を逆転させ、その状態でスクリーンを振動させることにより夾雑物をスクリーンから分離し、水の流れに乗せて別な水路に夾雑物を流下させ、水の流下方向を元に戻すことにより除塵機能を回復させることを特徴としている。（請求項４）
【発明の効果】
【００１２】
夾雑物を水面より上に揚げることなく水中でスクリーンから分離、排除することにより、夾雑物は産業廃棄物としての扱いは受けず当該水路もしくは別の水路に流すことができる。したがって、産業廃棄物としての管理や処理は不要となる。
【００１３】
除塵システム全体が簡素化し、設備費、維持費ともに縮減でき、安全性が高い。
【実施例】
【００１４】
以下、本発明の一実施例について、図面を参照し詳述する。図１は実施例１を示す概略正面図及び概略側面図、図２は実施例１の夾雑物の処理工程を示す説明図、図３は実施例１のスクリーンを設置した水路を説明する概略図、図４は実施例２を示す概略正面図及び概略側面図、図５は実施例２の夾雑物の処理工程を示す説明図、図６は実施例２のスクリーンを設置した水路を説明する概略図である。
【００１５】
図１（ａ）は実施例１を示す概略正面図、（ｂ）はその概略側面図である。図示した実施例１の振動型除塵スクリーン１００は、水路内にスクリーン１を備え、また、それに付随してスクリーン１に振動を与える振動発生装置２と、スクリーン１を起立、倒伏させるための巻上ウインチ３、ワイヤーロープ４及びスクリーン連結軸５を備えている。
【００１６】
図２は、実施例１の夾雑物１１の処理工程を示す説明図である。除塵時は、スクリーン1を起立させておく。（ステップ１）
【００１７】
スクリーン１から夾雑物１１を取り除く場合、スクリーン１をスクリーン１の上端が水中に没するまで下流側に倒伏させ、その状態のまま振動発生装置２で起こした振動をスクリーン連結軸５を通じてスクリーン１に伝達し、スクリーン１を振動させることによりスクリーン１の夾雑物１１をスクリーン１から分離させる。（ステップ２）
【００１８】
分離した夾雑物１１を水の流れに乗せて流下させ、スクリーン１を再び元の位置まで起立させれば除塵を再開することができる。（ステップ３）
【００１９】
本発明に係る振動型除塵スクリーン１００は、上述したステップ１〜３までのプロセスを繰り返すことで除塵機能を維持させることができる。
【００２０】
図３は、実施例１の振動型除塵スクリーン１００を設置した水路の概略図である。図示した水路は、河川等の本川２０に設置した本川ゲート２１を閉鎖することで、実施例１の振動型除塵スクリーン１００が設置されている副水路２２に水を導くことができるようになっている。
【００２１】
除塵時には、副水路ゲート２３は開放され、還流ゲート２４は閉鎖されているため、副水路２２に導かれた流水は副水路２２に設置されている振動型除塵スクリーン１００を透過する際に除塵されて、水利用設備２５に通水されている。（ステップ１）
【００２２】
スクリーン１から夾雑物１１を取り除く場合は、副水路ゲート２３を閉鎖し、還流ゲート２４を開放して水を本川２０に還流させた状態のまま、スクリーン１を倒伏させ、スクリーン１に振動を与えて夾雑物１１をスクリーン１から分離させる。（ステップ２）
【００２３】
分離した夾雑物１１を水の流れに乗せて本川２０に流下させ、スクリーン１を再び起立させ、還流ゲート２４を閉鎖し、副水路ゲート２３を開放して水利用設備２５への通水及び除塵を再開する。（ステップ３）
【００２４】
図４（ａ）は実施例２を示す概略正面図、（ｂ）はその概略側面図である。図示した実施例２の振動型除塵スクリーン１０１は、水路内にスクリーン３１と、また、それに付随してスクリーン３１に振動を与える振動発生装置３２を備えている。
【００２５】
図５は、実施例２の夾雑物の処理工程を示す説明図である。除塵の実施時には、スクリーン３１に夾雑物１１が溜まる。（ステップ１）
【００２６】
除塵の実施によりスクリーン３１に溜まった夾雑物１１を取り除く場合は、水の流下方向を逆転させて、その状態のまま振動発生装置３２で起こした振動をスクリーン連結軸３３を通じてスクリーン３１に伝達し、スクリーン３１を振動させることにより夾雑物１１をスクリーン３１から分離し、水の流れに乗せて本川の下流に流下させ、除塵機能を回復させる。（ステップ２）
【００２７】
水の流下方向を元に戻して除塵を再開する。（ステップ３）
【００２８】
上述したステップ１〜３のプロセスを繰り返すことにより、振動型除塵スクリーン１０１の除塵機能を維持することができる。
【００２９】
図６は、実施例２の振動型除塵スクリーン１０１を設置した水路の概略図である。図示した水路は、河川等の本川４０に設置した本川ゲート４１を閉鎖することで、実施例２の振動型除塵スクリーン１０１が設置されている副水路４２に水を導くことができるようになっている。
【００３０】
除塵時には、本川ゲート４１は閉鎖されているため、副水路４２に導かれた流水は振動型除塵スクリーン１０１により除塵されたのち、水利用設備４３に通水されている。（ステップ１）
【００３１】
スクリーン３１から夾雑物１１を取り除く場合、本川ゲート４１を開放することにより水が副水路４２から本川４０に逆流する状態にして、スクリーン３１に振動を与えて夾雑物１１をスクリーン３１から分離させ、逆流する水に乗せて本川４０に戻し、更に本川４０の下流に流下させる。（ステップ２）
【００３２】
本川ゲート４１を閉鎖して、流水の除塵及び水利用設備４３への通水を再開する。（ステップ３）
【産業上の利用可能性】
【００３３】
この発明の除塵用スクリーンは、コンクリート製水路の水門や小型発電設備のための取水口の前方等に設置されるばかりでなく、種々の水路に使用される除塵用スクリーンとして使用することができる。
【図面の簡単な説明】
【００３４】
【図１】（ａ）は実施例１のスクリーンを上流側から見た正面図、（ｂ）は図（ａ）における側面図である。
【図２】実施例１のスクリーンにおける夾雑物の処理工程を示す説明図である。
【図３】実施例１のスクリーンを設置した水路を説明する概略図である。
【図４】（ａ）は実施例２のスクリーンを上流側から見た正面図、（ｂ）は図（ａ）における側面図である。
【図５】実施例２のスクリーンにおける夾雑物の処理工程を示す説明図である。
【図６】実施例２のスクリーンを設置した水路を説明する概略図である。
【符号の説明】
【００３５】
W１  水路
W２  底面
WＬ  水面
１００  実施例１の振動型除塵スクリーン
１０１  実施例２の振動型除塵スクリーン
１  スクリーン
２  振動発生装置
３  巻上ウインチ
４  ワイヤーロープ
５  スクリーン連結軸
１１  夾雑物
２０  本川
２１  本川ゲート
２２  副水路
２３  副水路ゲート
２４  還流ゲート
２５  水利用設備水利用設備
３１  スクリーン
３２  振動発生装置
３３  スクリーン連結軸
４０  本川
４１  本川ゲート
４２  副水路
４３  水利用設備
【図１】
2008255619.tif 000003
【図２】
2008255619.tif 000004
【図３】
2008255619.tif 000005
【図４】
2008255619.tif 000006
【図５】
2008255619.tif 000007
【図６】
2008255619.tif 000008